(57)【要約】      （修正有）【課題】建設機械のバックホーのアームの先端に、通常のバケットは付けたまま、別のアタッチメントを簡単に取り付け可能とした専用の装着機具であり、そのアタッチメントを使いたい時にすぐに使えるよう、又アームに完全に収納可能としたアタッチメント及びアタッチメント専用装着機具を提供する。【解決手段】バックホーのアームの先端両側面に取り付け固定出来るよう２枚１組の側面板にバケットピンが挿入されている鋼管の外輪部に装着出来る穴を設け、その後部にリンクピンが挿入されている鋼管の外輪部に装着出来る穴を設け、側面板の下部に等間隔に３つのアタッチメント装着専用の穴４ａ，４ｂ，４ｃを設けたことにより中央の穴を中心に作業をするときにはバケット側に近い２つの穴を使用し、収納する時にはアタッチメント８を反転してバケットに遠い２つの穴を使用することによりアタッチメントがアームの底面に収納出来る事を特徴とする。【選択図】図８
0003190171.tif 000002
【実用新案登録請求の範囲】
【請求項１】
バックホーのアーム先端に，既存のバケットはそのままの状態で他のアタッチメントを装着出来る専用の機具、２枚で１組の側面板１の上部前部にバケットピンが挿入されている鋼管の外輪部に装着できる穴２を設け、その後部にリンクピンが挿入されている鋼管の外輪部に装着出来る穴３を設け、側面板１の下部に等間隔に３つのアタッチメント装着専用の穴４ａ４ｂ４ｃを設け、アームの両サイドに側面板１を装着し、アタッチメントを装着したとき、がたつき防止用のボルト穴５をアーム底面とアタッチメント上面との隙間に設けた、アタッチメント専用装着機具  収納型。
【請求項２】
２枚の側面板１にアタッチメント装着専用の穴４ａ  ４ｂ４ｃを等間隔に３つ設け、上部をアーム幅と同程度の板６で連結した構造のアタッチメント専用装着機具  収納型。
【請求項３】
二枚の側面板１を３本のアタッチメント装着専用の鋼管４ａ４ｂ４ｃで連結した、アタッチメント専用の装着機具  収納型で４ｂは棒上の留め機具でもよい。
【請求項４】
上記アタッチメント専用装着機具  収納型に装着するアタッチメント８で  側面から見て上部に２つの連結用のピン穴９ａ９ｂを設け下部にオプションの機具が装着出来る連結ピン用の穴１０を設け、そのアタッチメントの背面となる部分が直線状の形状をしていることを特徴とするアタッチメント専用装着機具の収納型用受け機具。
【請求項５】
請求項４の収納型用受け機具の穴７に装着するための機具で、円形の鋼管８の外輪より突き出した２本のプレート９上部に受け機具に設けた連結ピン用の穴７と合う位置に穴１０を設けたコンクリート製品用圧着保持機具。
【請求項６】
請求項５のコンクリート製品用保持圧着機具のもう片方の圧着機具で、バケット先端に装着するための機具で、側面から見て円形の鋼管の一部を切り取り、Ｃ型管１３としその切れ目部分にバケット先端の爪１４を差し込み溶接した構造のバケット側コンクリート製品用圧着保持機具。
【請求項７】
請求項６と同じバケット側の機具であるが、バケットの底穴にボルト１５を差し込み固定出来るようＣ型の鋼管１３とボルト１５を連結した構造のバケット側コンクリート製品用圧着保持機具。
【考案の詳細な説明】
【考案の詳細な説明】
【技術分野】
【０００１】本発明は、建設機械のバックホーのアームの先端に、通常のバケットは付けたまま、別のアタッチメントが簡単に取り付けられるようにした専用の装着機具の考案で、そのアタッチメントが使いたいときにすぐに使えるよう、又アームに完全に収納出来るようにした受け機具の考案である。【０００２】従来、バックホーのバケットを挟み等のアタッチメントに交換する作業は大変で、不慣れだとなかなかうまく出来なく、面倒であったため、作業の途中で一寸だけはさみに替えたりバケットに替えたりすれば効率よく作業が出来るのに、結局交換せずに作業することが多かった。そのような問題点を解決するために従来アタッチメントとその装着機具のセットは何件かあったが、それらは全て装着するための機具をアーム先端に溶接しなければならなかった。そしてそれらはアタッチメントをアームと一体化して収納出来る形状になっていなかった。また挟む作業でも土砂であったり、コンクリート製品であったり、その挟む物に応じたオプションのアタッチメントを受け機具の先端に装着固定出来る構造になっていなかった。
【考案が解決しようする課題】
【０００３】本考案は、挟むためのアタッチメントを簡単に装着出来るだけではなくその装着機具を溶接することなく装着出来るようにし、しかもそのアタッチメントを使わないときは、アタッチメントを反転してアーム底面側に収納出来るようした構造の装着機具であり、バケット  アーム  ブームを最小に折りたたんでもアタッチメントがどこにも当たることなく収納出来る形状にした、装着機具と受け機具のアタッチメントの考案である。
【課題を解決するための手段】
【０００４】この課題を解決するための請求項１の考案は、バックホーのアーム先端に、他のアタッチメントを簡単に装着出来る機具を溶接等をしないで装着固定出来るようにした構造で、２枚を一組とした側面板１の上部の前部にバケットピンが挿入されている鋼管の外輪部に装着出来る穴２を設け、その後部にリンクピンが挿入されている鋼管の外輪部に装着出来る穴３を設ける。側面板１の下部にアタッチメントが装着収納出来るようにするため専用の穴４ａ４ｂ４ｃを等間隔に３つ設け、側面板とアタッチメントをアームに装着したとき、アーム底面とアタッチメントの隙間にボルトが通せる穴５を設けた構造のアタッチメント専用装着機具。
請求項２の考案は請求項１と同じようにアタッチメントが装着反転収納が出来るよう側面板１に等間隔に３つの穴４ａ４ｂ４ｃを設け上部をアームの補強を兼ねた板６と一体固定した構造でこのプレート板６の上面をアームの底面に溶接しアームを補強することも目的とする。
請求項３の考案は２枚の側面板１の間にアタッチメントを挟み込むタイプではなくアタッチメントが装着機具をは差に込むタイプの装着機具で連結用の３つ目の鋼管が設置されていることを特徴とする構造で、等間隔に３本の鋼管４ａ４ｂ４ｃが平行に並べ両側の側面板に固定されているが中央の４ｂは引っかけるタイプの棒状でも良い以上を特徴とするアタッチメント専用装着機具  収納型。
請求項４の考案はアタッチメント専用装着機具  収納型に装着するアタッチメント８で側面から見て上部に連結用の穴９ａ９ｂを２つ設け、下部にさらに便利に使うためのオプション装着用の穴１０を設け、そのアタッチメント８の形状がバックホーのバケットアーム  ブームを最小に折りたたんだとき完全に収まるよう背面が直線状に先端が細くなっている形状を特徴とするアタッチメント専用装着機具  収納型に装着するアタッチメント。
請求項５の考案はアタッチメント８の下部に設けた穴１０に装着するための機具で、コンクリート製品を傷つけずに掴んで移動するための機具で、円形の鋼管１１がアタッチメント下部先端に設置固定出来るように鋼管１１の外輪より２本のプレート１２をアタッチメントを挟み込むように上方へ伸ばした先に連結用穴１３を設けたコンクリート製品用圧着保持機具アタッチメント側。
請求項６の考案は請求項５と対になる機具でバケット側先端に円形の鋼管の一部を切り取りＣ型１４とした形状で、バケット先端の爪１５をその間から差し込み溶接固定した構造のコンクリート製品用圧着保持機具バケット側。
請求項７の考案は請求項６と同じようにバケット側先端に何かを溶接をせず設置固定しようとしたとき、難しかった、そこでバケット先端に差し込めるよう切り抜いた形状の機具を、ロングのボルトでバケット底に開いている穴に差し込みナットで締め込み固定出来るよう機具に連結用の穴１３を設けた構造のバケット側用固定機具。
【０００５】  請求項１の本案を使用する時は  バックホーのアーム先端のバケットピンを外し、装着機具である２枚の側面板１に設けた穴２を同時にバケットとアームの隙間のピンが挿入されている鋼管の外輪部にはめ込みバケットとアームをピンで連結し、次にアーム側に付いているリンクピンを外し  リンクピンが挿入されている鋼管の外輪部に装着機具の穴３をはめ込みリンクをピンでアームと一体化し装着機具を固定する、次に受け機具であるアタッチメント８の連結用の穴９ａ９ｂで  装着機具のバケット側に近い２つの穴４ａ４ｂに連結固定出来るよう、２枚の側面板の間に差し込みピンを挿入連結する。次  にがたつきが起こらないように２枚の側面板に設けた穴５にボルトを通しナットで締め付け固定する。作業はバケット側の動きでアタッチメント６との間に物を挟んで行う。作業が終われば４ａの穴で連結しているピンを抜き、アタッチメントを４ｂの穴を中心にアーム側に反転させ４ｃと７ａの穴をピンで連結固定して収納しておけば通常のバケット作業には何ら問題なく作業出来、挟みとして使いたい時にまた反転固定すれば挟みとして使える。
請求項２の考案は２枚の側面板１の下部に３つの穴を等間隔に設けることは同じであるが、上部をアームと同程度の幅のプレート９で連結固定しこのプレートをアームの補強板としての目的も兼ねておりプレート９の上面をアーム先端の底面に溶接固定して使う、アタッチメント装着と使用方法は請求項１と同じである。
請求項３の使用方法は請求項２と同じで側面板１の上部をアーム底面に溶接溶接するタイプであるが装着機具でアタッチメントを挟み込むタイプではなくアタッチメントで装着機具を挟んで、ピンで固定し反転するときは４ａのピンを抜き４ｂを中心に反転させ４ｃで固定する収納型である。
請求項４の考案を使用するときはアーム先端に装着された２枚の側面板１の間に入れ請求項１と同じ要領で連結し使う。アタッチメント８の先端に設けた穴１０に挟む対象物によってそれに適した機具を装着する事が出来、従来のアタッチメントとは違う使い方が出来るようになった。
請求項５はコンクリート製品を傷つけずに移動出来るようにした考案で使用するときは円形の鋼管をアタッチメント先端に装着出来るようにプレート１２でアタッチメントを挟むようセットして穴１３と穴１０をピンで連結する。
請求項６はコンクリート製品を移動するための請求項５の対となるバケット側に装着する考案である、使用するときはバケット側の爪を抜きそこに装着してコンクリート製品などを挟んで圧着して保持移動する。
請求項７は請求項６と同類であるが、爪に使いたい機具を溶接するのではなく，装着したい機具の凹部をバケットに差し込み吊りバンド及びロングのボルトと連結し、バケットの底に開いている穴にそのボルトを通しナットで締め付け固定する。
【０００６】  本考案が目指すのはバックホーに取り付けた、挟むためのアタッチメントが使いたい時に簡単に装着出来、使わない時には反転収納し邪魔にならないように３つ目の穴を設けその為の装着機具を機械側に溶接せずに取り付けられるようにすることであり。機械によってはアーム先端を補強しなければならない場合がありその時利便性を高めるため請求項２等が役立つ、又これからは労働力の不足が懸念され、機械の性能は良くなっていく、バックホーを手のように指のように使う時代になった、そこで請求項４にあるようにハンドの先端に各種用途に応じた指の代わりとなる機具を装着出来るよう穴を設けたにより多くの作業の省力化に役立つことを目的とする。
【図面の簡単な説明】
【０００７】
【図１】  本考案装着機具１の斜視図
【図２】  本考案装着機具２の斜視図
【図３】  本考案装着機具３の斜視図
【図４】  本考案装着機具専用の受け機具の斜視図
【図５】  本考案受け機具用のコンクリート製品圧着保持機具の斜視図
【図６】  本考案バケット側用コンクリート製品圧着保持機具の斜視図
【図７】  本考案バケット側用コンクリート製品圧着保持機具ボルト使用の斜視図
【図８】  本考案を装着収納した状態の斜視図
【図９】  本考案装着使用状況斜視図
【符号の説明】
【０００８】  １    側面板
２    バケットピン側穴
３    リンクピン側穴
４    アタッチメント装着専用穴
５    ボルト用穴
６    補強用プレート
７    鋼管
８    専用の受け機具アタッチメント
９    装着機具用穴
１０    オプション専用の穴
１１    圧着保持用の鋼管
１２    連結用プレート
１３    受け機具用の穴
１４    Ｃ型の圧着保持用鋼管
１５    爪
１６    ボルト
【図１】
0003190171.tif 000003
【図２】
0003190171.tif 000004
【図３】
0003190171.tif 000005
【図４】
0003190171.tif 000006
【図５】
0003190171.tif 000007
【図６】
0003190171.tif 000008
【図７】
0003190171.tif 000009
【図８】
0003190171.tif 000010
【図９】
0003190171.tif 000011
【手続補正書】
【提出日】平成25年10月12日(2013.10.12)
【手続補正１】
【補正対象書類名】実用新案登録請求の範囲
【補正対象項目名】全文
【補正方法】変更
【補正の内容】
【実用新案登録請求の範囲】
【請求項１】
バックホーのアームの先端両側面に取り付け固定出来るよう２枚１組の  側面板１にバケットピンが挿入されている鋼管の外輪部に装着出来る穴２を設け、その後部にリンクピンが挿入されている鋼管の外輪部に装着出来る穴３を設け、側面版１の下部に等間隔に３つのアタッチメント専用の穴（４ａ  ４ｂ  ４ｃ）を設けたことにより  穴（４ｂ）を支点に  作業をするときには穴（４ａ  ４ｂ）を使用し、収納する時にはアタッチメントを反転して穴（４ｂ  ４ｃ）を使用することによりアタッチメントが収納出来る事を特徴とする、アタッチメント専用装着機具  収納型。
【請求項２】
２枚の側面板１に請求項１同様に、アタッチメント装着専用の３つ穴（４ａ  ４ｂ  ４ｃ）を設けた事を特徴とし、上部をアーム幅と同程度の板６で連結し溶接によってアーム底面に装着するタイプのアタッチメント専用装着機具  収納型。
【請求項３】
本案はアタッチメント専用装着機具  収納型に装着する専用のアタッチメントで、本案を請求項１の穴（４ｂ  ４ｃ）に反転収納し連結したときアーム底面に合わさるよう本案の背面を直線の形状としたことを特徴とするアタッチメント専用装着機具  収納型に装着する専用のアタッチメントである。
【請求項４】
本案はアタッチメント専用装着機具に装着する専用のアタッチメントでボックス状の形状で側面上部に請求項１にある穴（４ａ  ４ｂ）に連結するための穴（９ａ  ９ｂ）２つを設け、下部側面に他の機具を装着出来るようにした穴（１０ａ  １０ｂ）２つを設けた事を特徴とするアタッチメント専用装着機具  収納型に装着する専用のアタッチメントである
【請求項５】
本案はアタッチメント専用装着機具に装着する専用のアタッチメントで物を挟む時、バケット側に必要な機具を装着固定する考案で、バケットの爪先端が入る形状のＶ型  Ｃ型の機具にプレートを爪が入った状態のとき上方に延ばし  その上部にボルトが通せる鋼管を取り付けた形状で、そのボルトをバケット背面にある水抜き用の穴に通しナットで締め付け固定することをとくちょうとしたバケット用の装着固定機具。
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
バックホーのアームの先端両側面に取り付け固定出来るよう２枚１組の  側面板（１）にバケットピンが挿入されている鋼管の外輪部に装着出来る穴（２）を設け、その後部にリンクピンが挿入されている鋼管の外輪部に装着出来る穴（３）を設け、側面版（１）の下部に等間隔に３つのアタッチメント装着専用の穴（４ａ４ｂ４ｃ）を設けたことにより  中央の穴を中心に作業をするときにはバケット側に近い２つの穴を使用し、収納する時にはアタッチメントを反転してバケットに遠い２つの穴を使用することによりアタッチメントがアームの底面に収納出来る事を特徴とするアタッチメント専用装着機具。
【請求項２】
２枚の側面板（１）にアタッチメント装着専用の３の穴（４ａ４ｂ４ｃ）を設け側面版（１）の上部をアームの幅と同程度のプレート（６）で連結固定し  前記プレート（６）の上面をバックホーのアーム底面に溶接により装着することを特徴とするアタッチメント専用装着機具。
【請求項３】
請求項１又は２に記載されたアタッチメント専用装着機具において用いられるアタッチメントであって、側面から見て上部に２つの連結用のピン穴（９ａ９ｂ）を設け、下部にオプションの機具が装着出来るピン穴（１０）を設け、そのアタッチメントの背面となる部分が直線の形状をしていることを特徴とするアタッチメント。